【手続補正書】
【提出日】平成17年8月4日(2005.8.4)
【手続補正１】
【補正対象書類名】明細書
【補正対象項目名】特許請求の範囲
【補正方法】変更
【補正の内容】
【特許請求の範囲】
【請求項１】
使用者の足の足裏側を配置するための靴底部と、
前記靴底部から立ち上がるように、且つ使用者の足を包むように形成されるアッパー本体部と、
使用者の足の踵を配置するための踵部と、を備え、
前記アッパー本体部には、使用者の足を挿入するための履き口部と、
前記履き口部の一部を切り欠いて爪先側方向に向かって形成されている足挿入用開口部と、
前記足挿入用開口部に対応して配置される舌状当接部と、
前記舌状当接部に固定用ベルト部が配置され、
前記固定ベルト部には、前記アッパー本体部に対して着脱可能な構成となっているベルト側着脱部を備え、
前記アッパー本体部には、前記ベルト側着脱部と対を成すアッパー側着脱部が備えられ、
前記舌状当接部を前記足挿入用開口部に対応して配置した際に、前記舌状当接部の上端部が、前記履き口部より上方に位置するよう形成され、
前記舌状当接部の少なくとも前記履き口部側には伸縮性を備えるクッション部が配置され、
前記履き口部の開口端部には、緩衝手段が配置され、
前記履き口部は、前記開口端部と前記クッション部とで囲繞される構成となっていることを特徴とする幼児用靴。
【請求項２】
前記固定用ベルト部は、前記舌状当接部の両側である前記アッパー本体部の内足側及び外足側にそれぞれ配置されていることを特徴とする請求項１に記載の幼児用靴。
【請求項３】
前記舌状当接部は、靴の内部側である内側に緩衝層が配置され、
前記緩衝層の外側に剛性層が配置され、
前記舌状当接部の少なくとも前記履き口部側の前記剛性層を除去することで、前記クッション部を形成する構成となっていることを特徴とする請求項１又は請求項２に記載の幼児用靴。
【請求項４】
前記踵部は、前記靴底部に形成される靴底側踵部と前記アッパー本体部に形成されるアッパー本体側踵部とを有し、
少なくとも前記アッパー本体側踵部には、その剛性を高めるためにカウンター部が設けられ、
前記固定用ベルト部のそれぞれの前記ベルト側着脱部及び前記アッパー側着脱部は、前記カウンター部の外縁部に近接して配置されると共に、
前記固定用ベルト部のそれぞれの端部の幅方向における略中央部を相互に結んだ仮想線を、そのまま延長した場合に、この仮想線が、前記踵部における前記アッパー本体側踵部と前記靴底側踵部との境界部又はその近傍に達するように前記固定用ベルト部は設けられ、
また、前記舌状当接部の両側に配置される、それぞれの前記固定用ベルト部を結んだ仮想線の領域に、使用者の足の甲における足高点が位置するように、前記固定用ベルト部が配置される構成となっていることを特徴とする請求項２又は請求項３に記載の幼児用靴。
【請求項５】
前記舌状当接部は前記足挿入用開口部を外側から塞ぐように配置されていることを特徴とする請求項１乃至請求項４のいずれかに記載の幼児用靴。
【請求項６】
前記緩衝層は、スポンジが裏地で挟まれるようにして成っていることを特徴とする請求項３乃至請求項５のいずれかに記載の幼児用靴。
【請求項７】
幼児の爪先を配置する爪先部の幼児の小指が配置される部分の外側に隙間部が形成されていることを特徴とする請求項１乃至請求項６のいずれかに記載の幼児用靴。
【請求項８】
前記舌状当接部が前記足挿入用開口部の内足側に向かって回動することで前記アッパー本体部と着脱可能な構成となっていることを特徴とする請求項１乃至請求項７のいずれかに記載の幼児用靴。
【請求項９】
幼児の伝え歩き期の爪先立ちを行いやすいように、前記靴底部が薄く形成されると共に靴全体の剛性も抑えられて成ることを特徴とする請求項１乃至請求項８のいずれかに記載の幼児用靴。
【手続補正２】
【補正対象書類名】明細書
【補正対象項目名】０００６
【補正方法】変更
【補正の内容】
【０００６】
【課題を解決するための手段】
前記目的は、請求項１の発明によれば、使用者の足の足裏側を配置するための靴底部と、  前記靴底部から立ち上がるように、且つ使用者の足を包むように形成されるアッパー本体部と、使用者の足の踵を配置するための踵部と、を備え、前記アッパー本体部には、使用者の足を挿入するための履き口部と、前記履き口部の一部を切り欠いて爪先側方向に向かって形成されている足挿入用開口部と、前記足挿入用開口部に対応して配置される舌状当接部と、前記舌状当接部に固定用ベルト部が配置され、前記固定ベルト部には、前記アッパー本体部に対して着脱可能な構成となっているベルト側着脱部を備え、前記アッパー本体部には、前記ベルト側着脱部と対を成すアッパー側着脱部が備えられ、前記舌状当接部を前記足挿入用開口部に対応して配置した際に、前記舌状当接部の上端部が、前記履き口部より上方に位置するよう形成され、前記舌状当接部の少なくとも前記履き口部側には伸縮性を備えるクッション部が配置され、前記履き口部の開口端部には、緩衝手段が配置され、前記履き口部は、前記開口端部と前記クッション部とで囲繞される構成となっていることを特徴とする幼児用靴により達成される。
【手続補正３】
【補正対象書類名】明細書
【補正対象項目名】０００８
【補正方法】変更
【補正の内容】
【０００８】
そして、前記舌状当接部の少なくとも前記履き口部側には伸縮性を備えるクッション部が配置されている。
このため、使用者が歩行する際に、前記舌状当接部の上端部が足首の屈曲する部位に食い込むことがない。また、前記舌状当接部の前記緩衝手段が使用者の足首の動きに同期して伸縮するので、前記舌状当接部が足首の動きを阻害することがなく、より自然に足首を動かすことができ、歩きやすい靴となる。
また、前記履き口部の開口端部には、緩衝手段が配置されているので、前記舌状当接部のクッション部と共に、靴の履き口の開口は緩衝手段によって囲繞される。
このため、使用者の足首は全周にわたり前記緩衝手段及びクッション部と当接し、前記緩衝手段は、足首に柔らかく当接し、足首にフィットする。
また、緩衝手段及びクッション部が足首に当接するので、強く前記履き口部及び前記舌状当接部を足首に押し付けても、緩衝手段及びクッション部の変形により利用者の足首の屈曲が確保される。このため、靴が足首を保持するホールド性が向上する。
【手続補正４】
【補正対象書類名】明細書
【補正対象項目名】０００９
【補正方法】変更
【補正の内容】
【０００９】
好ましくは、請求項２の発明によれば、請求項１の構成において、前記固定用ベルト部は、前記舌状当接部の両側である前記アッパー本体部の内足側及び外足側にそれぞれ配置されていることを特徴とする幼児用靴である。
【手続補正５】
【補正対象書類名】明細書
【補正対象項目名】００１１
【補正方法】変更
【補正の内容】
【００１１】
好ましくは、請求項３の発明によれば、請求項１又は請求項２の構成において、前記舌状当接部は、靴の内部側である内側に緩衝層が配置され、前記緩衝層の外側に剛性層が配置され、前記舌状当接部の少なくとも前記履き口部側の前記剛性層を除去することで、前記クッション部を形成する構成となっていることを特徴とする幼児用靴である。
【手続補正６】
【補正対象書類名】明細書
【補正対象項目名】００１２
【補正方法】変更
【補正の内容】
【００１２】
請求項３の構成によれば、前記舌状当接部の少なくとも前記履き口部側の前記剛性層を除去することで、前記緩衝手段を形成する構成となっているので、前記緩衝手段を容易に形成することができる。
また、足挿入用開口部の下側に位置する足についても、緩衝層によって柔らかく保持されると共に、足挿入用開口部の上部に配置された剛性層によって舌状当接部が歩行時に不要に変形してしまうことを防ぐ。
【手続補正７】
【補正対象書類名】明細書
【補正対象項目名】００１３
【補正方法】変更
【補正の内容】
【００１３】
好ましくは、請求項４の発明によれば、請求項２又は請求項３の構成において、前記踵部は、前記靴底部に形成される靴底側踵部と前記アッパー本体部に形成されるアッパー本体側踵部とを有し、少なくとも前記アッパー本体側踵部には、その剛性を高めるためにカウンター部が設けられ、前記固定用ベルト部のそれぞれの前記ベルト側着脱部及び前記アッパー側着脱部は、前記カウンター部の外縁部に近接して配置されると共に、前記固定用ベルト部のそれぞれの端部の幅方向における略中央部を相互に結んだ仮想線を、そのまま延長した場合に、この仮想線が、前記踵部における前記アッパー本体側踵部と前記靴底側踵部との境界部又はその近傍に達するように前記固定用ベルト部は設けられ、また、前記舌状当接部の両側に配置される、それぞれの前記固定用ベルト部を結んだ仮想線の領域に、使用者の足の甲における足高点が位置するように、前記固定用ベルト部が配置される構成となっていることを特徴とする幼児用靴である。
【手続補正８】
【補正対象書類名】明細書
【補正対象項目名】００１４
【補正方法】変更
【補正の内容】
【００１４】
請求項４の構成によれば、前記固定用ベルト部のそれぞれの端部の幅方向における略中央部を相互に結んだ仮想線を、そのまま延長した場合に、この仮想線が、前記踵部における前記アッパー本体側踵部と前記靴底側踵部との境界部又はその近傍に達するように前記固定用ベルト部は設けられている。
したがって、前記固定用ベルト部は使用者の足を靴の踵部の方向に固定するように作用することとなる。このため、従来の靴のように使用者の足を靴底方向へ固定する場合に比べ格段にホールド性が向上し、靴の中で、足が動いてしまい、歩行し難くなることに伴う、足の運びや足の形への影響を防ぐことができる。
また、少なくとも前記アッパー本体側踵部に、その剛性を高めるために配置されるカウンター部が設けられている。
したがって、前記カウンター部が配置されることで、靴の前記アッパー本体側踵部の剛性が高められ、靴の前記踵部に使用者の足の踵が正確にホールドされ易くなる。
すなわち、前記固定用ベルト部が上述のように使用者の足を靴の踵部方向へ固定するように作用すると、この剛性が高められた前記カウンター部を介して使用者の足の踵が前記靴の踵部に押し付けられ、より確実に足の踵が靴の踵部に固定されるので、ホールド性が著しく向上することになる。
更に、踵部に剛性があることで、靴の着脱を行う際に、踵部が潰れることがないなど容易に着脱できる構成となっている。
また、前記固定用ベルト部のそれぞれの端部は、前記カウンター部の外縁部に近接して配置されている。
したがって、固定用ベルト部が、強いカウンター部の近くに固定され、確実にホールドしているにもかかわらず、前記カウンター部と前記固定用ベルト部との間が直接固定されず、その間の剛性は高くないので、使用者の歩行時の足の変形に応じて変形可能となっている。このため、使用者が歩行に際し足を変形し易い構成となっており、歩き易い靴となっている。
これにより、使用者の足が靴の中でしっかり固定されると共に、必要に応じて屈曲も行い易いので、歩きやすい靴となる。
【手続補正９】
【補正対象書類名】明細書
【補正対象項目名】００１５
【補正方法】変更
【補正の内容】
【００１５】
さらに、前記舌状当接部の両側に配置されるそれぞれの前記固定用ベルト部を結んだ仮想線の領域に、使用者の足の甲における足高点が位置するように、前記固定用ベルト部が配置される構成となっている。
したがって、前記固定用ベルト部が、使用者の足の甲を靴底方向に押し付けてしまい、靴の中の足のホールド性が低下するのを効果的に防ぐことができる。
すなわち、使用者の足の甲の足高点より爪先側の足の甲に前記固定用ベルト部を結んだ仮想線の領域が配置されると、この固定用ベルト部の押し付け力は足の甲側から足の裏側のみに向けられ、足を靴底側に押し付け足を固定しようとする。これでは、足の甲の部分を押し付けるだけで、靴の中における足の動きが大きな踵部をホールドできないため、足の踵の固定ができず、足がズレ易く、歩き難くなってしまう。
また、使用者の足首側に前記固定用ベルト部を結んだ仮想線の領域が配置されると、使用者の足首を曲げる動きを妨げてしまう。
この点、本請求項の構成では、前記固定用ベルト部が前記舌状当接部の両側に配置されるそれぞれの前記固定用ベルト部を結んだ仮想線の領域に、使用者の足の甲における足高点が配置されるので、不必要に足の甲を足裏側に押さえつけることがなく、確実に踵側に向かって固定されるため足首の動きを妨げることなく、靴の踵部方向に、足の踵部を固定することとなり、靴の中で足が動いてしまうことを防ぐことができる。
以上により、本請求項の構成によれば、使用者が靴を履いた後は、足が靴の踵部に押し付けられて固定されるので、ホールド性が良く歩きやすい靴となる。
【手続補正１０】
【補正対象書類名】明細書
【補正対象項目名】００１６
【補正方法】変更
【補正の内容】
【００１６】
好ましくは、請求項５の発明によれば、請求項１乃至請求項４のいずれかの構成において、前記舌状当接部は前記足挿入用開口部を外側から塞ぐように配置されていることを特徴とする幼児用靴である。
前記構成によれば、舌状当接部は足挿入用開口部を外側から塞ぐように配置されるので、舌状当接部の上端部が履き口部より上方に位置するようになっている。このため、使用者が幼児用靴を履いた際に、舌状当接部、特に舌状当接部の上端部は、使用者の足首と離間することなく、足首に沿って配置される。すなわち、使用者の足首と舌状当接部との間の隙間が生じるのを未然に防止し、幼児用靴における足の不必要な動きを防ぐことができ、使用者が歩き易い幼児用靴となる。
また、使用者が幼児用靴を履いた際のフィット感が向上し、使用者の足首の屈曲部位が舌状当接部によって適度に固定されることになる。
また、足挿入用開口部の露出を容易に大きく行うことができるため、履き（履かせ）易く、脱ぎ（脱がせ）易い。
【手続補正１１】
【補正対象書類名】明細書
【補正対象項目名】００１７
【補正方法】変更
【補正の内容】
【００１７】
好ましくは、請求項６の発明によれば、請求項３乃至請求項５のいずれかの構成において、前記緩衝層は、スポンジが裏地で挟まれるようにして成っていることを特徴とする請求項３乃至請求項５のいずれかに記載の幼児用靴である。
前記構成によれば、緩衝層は、スポンジが裏地で挟まれるようにして成っているので、弾力性と伸縮性を備える構成となっている。
【手続補正１２】
【補正対象書類名】明細書
【補正対象項目名】００１９
【補正方法】変更
【補正の内容】
【００１９】
好ましくは、請求項７の発明によれば、請求項１乃至請求項６のいずれかの構成において、前記爪先部の幼児の小指が配置される部分の外側に隙間部が形成されていることを特徴とする幼児用靴である。
幼児は歩行に際し、ふらついた時等に足指を広げてバランスを保とうとすることがあるがあり、特に、小指を大きく外側に向かって広げる傾向にある。この点、前記構成によれば、爪先部の幼児の小指が配置される部分の外側に隙間部が形成されているので、この小指の動きを妨げないように、隙間部が形成され、歩行練習に適した幼児用靴となる。
【手続補正１３】
【補正対象書類名】明細書
【補正対象項目名】００２０
【補正方法】変更
【補正の内容】
【００２０】
好ましくは、請求項８の発明によれば、請求項１乃至請求項７のいずれかの構成において、前記舌状当接部が前記足挿入用開口部の内足側に向かって回動することで前記アッパー本体部と着脱可能な構成となっていることを特徴とする幼児用靴である。
【手続補正１４】
【補正対象書類名】明細書
【補正対象項目名】００２１
【補正方法】変更
【補正の内容】
【００２１】
好ましくは、請求項９の発明によれば、請求項１乃至請求項８のいずれかの構成において、幼児の伝え歩き期の爪先立ちを行いやすいように、前記靴底部が薄く形成されると共に靴全体の剛性も抑えられて成ることを特徴とする幼児用靴である。
伝え歩き期の幼児は、例えば８ヶ月乃至１２ヶ月の月齢の幼児であり、その歩行形態は、机等につかまり、手の力を使い「つかまり立ち」をしながら横に移動する状態である。そして、この「つかまり立ち」の際に、爪先立ちをしたり、爪先立ちをした状態で歩こうとする特徴がある。
この点  前記構成によれば、靴底部が薄く形成されているので、靴底が屈曲し易くなっている。また、幼児用靴全体の剛性を抑え、比較的柔らかく構成することで、伝え歩き期の幼児が行う「つかまり立ち」等の際に行う、爪先立ち等を行い易くすることができる。
【手続補正１５】
【補正対象書類名】図面
【補正対象項目名】図２
【補正方法】変更
【補正の内容】
【図２】
2004208926.tif 000001